(57)【要約】【課題】複数の異なる形状の手工具を収納できる手工具用ホルダーを提供すること。【解決手段】Ｃ字形の断面を呈すると共に、内側に摺動溝が形成されるレールと、該レールの摺動溝に摺動自在に取り付けられる掛止部材とを備え、該レールにレールを固定するための固定穴が形成され、該掛止部材は、該掛止部材をレールの内側の摺動溝に摺動自在に設けるための係合部と、該係合部からレールの長手方向に垂直する方向へ延出する設置部とを有する。【選択図】図１
2011104771.tif 000002
【特許請求の範囲】
【請求項１】
Ｃ字形の断面を呈すると共に、内側に摺動溝が形成されるレールと、
該レールの摺動溝に摺動自在に取り付けられる掛止部材とを備え、
該レールにレールを固定するための固定穴が形成され、
該掛止部材は、該掛止部材をレールの内側の摺動溝に摺動自在に設けるための係合部と、該係合部からレールの長手方向に垂直する方向へ延出する設置部とを有することを特徴とする手工具用ホルダー。
【請求項２】
前記掛止部材の設置部に掛止穴が形成されることを特徴とする請求項１に記載の手工具用ホルダー。
【請求項３】
前記掛止穴の一側における、設置部の間に所定の幅を有する開口が形成されることを特徴とする請求項２に記載の手工具用ホルダー。
【請求項４】
前記掛止部材における設置部の端部に上方へ延出する掛止フックが設けられることを特徴とする請求項１に記載の手工具用ホルダー。
【請求項５】
前記掛止部材における設置部の上面に上方へ延出する係合柱が設けられることを特徴とする請求項１に記載の手工具用ホルダー。
【請求項６】
前記掛止部材における設置部に、及び該設置部に対して隣り合う他の掛止部材の設置部の内側に、夫々互いに対応する凹み部が形成されることを特徴とする請求項１に記載の手工具用ホルダー。
【請求項７】
上端と下端に夫々摺動溝が形成されるレールと、
該レールの摺動溝に摺動自在に取り付けられる掛止部材とを備え、
該レールに該レールを固定するための固定穴が形成され、
該掛止部材は、断面がＣ字形を呈すると共に、レールの摺動溝に摺動自在に係合される係合部と、該係合部からレールの長手方向に垂直する方向へ延出する設置部とを有し、
該設置部の上面に上方へ延出する係合柱が設けられることを特徴とする手工具用ホルダー。
【請求項８】
上端と下端に夫々摺動溝が形成されるレールと、
該レールの摺動溝に摺動自在に取り付けられる掛止部材とを備え、
該レールに該レールを固定するための固定穴が形成され、
該掛止部材は、断面がＣ字形を呈すると共に、レールの摺動溝に摺動自在に係合される係合部と、該係合部からレールの長手方向に垂直する方向へ延出する設置部とを有し、
該掛止部材の設置部に掛止穴が形成されると共に、端部に該掛止穴と連通して所定の幅を有する開口が形成されることを特徴とする手工具用ホルダー。
【発明の詳細な説明】
【技術分野】
【０００１】
本発明は、特に複数の異なる形状の手工具を収納できる手工具用ホルダーに関するものである。
【背景技術】
【０００２】
不使用時は、ドライバーやレンチなどの手工具を、壁に一列に固定された複数の釘などに掛止するのが一般的な手工具の収納方法であり、この方法によれば、手工具を使用する時、所要の手工具を簡単に手にすることができるので、大変便利である。
また、前記手工具を掛止する手段は、一般によく使用されるものであるので、特に特許文献又は非特許文献には記載されていない。
【発明の開示】
【発明が解決しようとする課題】
【０００３】
しかしながら、上記従来の手工具を掛止する手段によれば、手工具を掛止できる箇所は、壁に固定された釘などの掛止部材に限られているので、多種の手工具を自由に収納することができない。
又、従来の手工具を掛止する手段は、多種の手工具を掛止する掛止部材が同一形状であるので、ドライバーやレンチなど形状の異なる手工具に別々に対応する最適の方式により、これらの手工具を掛止することができない。
【０００４】
そこで、出願されたのが本発明であって、複数の異なる形状の手工具を収納できる手工具用ホルダーを提供することを目的としている。
【課題を解決するための手段】
【０００５】
本願の請求項１の発明は、上端と下端に夫々摺動溝が形成されるレールと、該レールの摺動溝に摺動自在に取り付けられる掛止部材とを備え、該レールに該レールを固定するための固定穴が形成され、該掛止部材は、断面がＣ字形を呈すると共に、レールの摺動溝に摺動自在に係合される係合部と、該係合部からレールの長手方向に垂直する方向へ延出する設置部とを有し、該設置部の上面に上方へ延出する係合柱が設けられることを特徴とする手工具用ホルダー、を提供する。
【発明の効果】
【０００６】
本発明に係る手工具用ホルダーは、壁に固定されるレールに複数の掛止部材が摺動自在に取り付けられることから、複数の異なる形状の手工具を収納することができるので、実用性に優れている。
【図面の簡単な説明】
【０００７】
【図１】本発明に係る手工具用ホルダーの第１実施例の使用状態を示す斜視図である。
【図２】本発明に係る手工具用ホルダーの第１実施例の分解斜視図である。
【図３】本発明に係る手工具用ホルダーの第２実施例の使用状態を示す斜視図である。
【図４】本発明に係る手工具用ホルダーの第２実施例の斜視図である。
【図５】本発明に係る手工具用ホルダーの第３実施例の使用状態を示す斜視図である。
【図６】本発明に係る手工具用ホルダーの第３実施例の分解斜視図である。
【図７】本発明に係る手工具用ホルダーの第４実施例の使用状態を示す斜視図である。
【図８】本発明に係る手工具用ホルダーの第４実施例の斜視図である。
【図９】本発明に係る手工具用ホルダーの第５実施例の使用状態を示す斜視図である。
【図１０】本発明に係る手工具用ホルダーの第５実施例の使用状態を示す平面図である。
【図１１】本発明に係る手工具用ホルダーの第６実施例の使用状態を示す斜視図である。
【図１２】本発明に係る手工具用ホルダーの第６実施例の一部分解斜視図である。
【図１３】本発明に係る手工具用ホルダーの第７実施例の使用状態を示す側面断面図である。
【図１４】本発明に係る手工具用ホルダーの第７実施例の使用状態を示す一部側面断面図である。
【図１５】本発明に係る手工具用ホルダーの第８実施例の使用状態を示す斜視図である。
【図１６】本発明に係る手工具用ホルダーの第８実施例の斜視図である。
【発明を実施するための最良の形態】
【０００８】
以下、添付図面を参照して本発明の好適な実施の形態を詳細に説明する。
【０００９】
図１は本発明に係る手工具用ホルダーの第１実施例の使用状態を示す斜視図であり、図２は本発明に係る手工具用ホルダーの第１実施例の分解斜視図であり、図３は本発明に係る手工具用ホルダーの第２実施例の使用状態を示す斜視図であり、図４は本発明に係る手工具用ホルダーの第２実施例の斜視図であり、図５は本発明に係る手工具用ホルダーの第３実施例の使用状態を示す斜視図であり、図６は本発明に係る手工具用ホルダーの第３実施例の分解斜視図であり、図７は本発明に係る手工具用ホルダーの第４実施例の使用状態を示す斜視図であり、図８は本発明に係る手工具用ホルダーの第４実施例の斜視図であり、図９は本発明に係る手工具用ホルダーの第５実施例の使用状態を示す斜視図であり、図１０は本発明に係る手工具用ホルダーの第５実施例の使用状態を示す平面図であり、図１１は本発明に係る手工具用ホルダーの第６実施例の使用状態を示す斜視図であり、図１２は本発明に係る手工具用ホルダーの第６実施例の一部分解斜視図であり、図１３は本発明に係る手工具用ホルダーの第７実施例の使用状態を示す側面断面図であり、図１４は本発明に係る手工具用ホルダーの第７実施例の使用状態を示す一部側面断面図であり、図１５は本発明に係る手工具用ホルダーの第８実施例の使用状態を示す斜視図であり、図１６は本発明に係る手工具用ホルダーの第８実施例の斜視図である。
【実施例１】
【００１０】
図１及び図２に示すように、本発明に係る手工具用ホルダーの第１実施例は、Ｃ字形の断面を呈すると共に、内側に摺動溝（８１）が形成されるレール（８０）と、該レール（８０）の摺動溝（８１）に摺動自在に取り付けられるドライバー用掛止部材（１０）とを備え、該レール（８０）にレール（８０）を壁に固定するための固定穴（８３）が形成され、該ドライバー用掛止部材（１０）は、係合部（１１）と設置部（１３）とからなり、該係合部（１１）は、く字形を呈すると共に、上端と下端に夫々前記レール（８０）の内側における摺動溝（８１）に嵌め込まれる摺動部（１２）を有し、該係合部（１１）からレール（８０）の長手方向に延出さする掛止穴（１４）が形成される。
また、この構成によれば、前記レール（８０）の摺動溝（８１）とドライバー掛止部材（１０）の摺動部（１２）とが接触することから、適当な摩擦力が生じるので、該ドライバー掛止部材（１０）が自発的に移動することはない。
【００１１】
また、前記ドライバー用掛止部材（１０）にドライバー（１００）を収納する時は、先ず前記レール（８０）の固定穴（８３）からねじを嵌め込み螺合することにより、該レール（８０）を壁などに固定し、その後、ドライバー用掛止部材（１０）をレール（８０）に摺動自在に取り付け、ドライバー（１００）の軸（１０１）部分を前記掛止穴（１４）に挿入し、該ドライバー（１００）のグリップ部を該掛止穴（１４）に掛止させ、前記掛止されたドライバー（１００）をレール（８０）に沿って摺動させて、使用者の使いやすい位置に移動させる。
【実施例２】
【００１２】
図３及び図４に示すように、本発明に係る手工具用ホルダーの第２実施例は、第１実施例のレール（８０）と同様の、摺動溝（８１）を有するレール（８０）と、該レール（８０）の摺動溝（８１）に摺動自在に取り付けられるコンビネーションレンチ用掛止部材（２０）とを備え、
前記コンビネーションレンチ用掛止部材（２０）は、係合部（２１）と設置部（２３）からなり、該係合部（２１）及び該係合部（２１）に形成される摺動部（２２）は、前記第１実施例のドライバー用掛止部材（１０）の係合部（１１）及び摺動部（１２）と同様の構造を呈し、また、本実施例では、前記設置部（２３）が係合部（２１）におけるレール（８０）の長手方向に延出し、該設置部（２３）の端部に上方へ延出する掛止フック（２４）が設けられる。
【００１３】
そして、本実施例に係るコンビネーションレンチ用掛止部材（２０）にコンビネーションレンチ（１０２）を収納する時は、前記レール（８０）の固定穴（８３）からねじ（１１０）を嵌め込み螺合することにより、該レール（８０）を壁などに固定し、その後、１つ以上のコンビネーションレンチ用掛止部材（２０）を摺動自在にレール（８０）に取り付け、がコンビネーションレンチ（１０２）の穴部を前記掛止フック（２４）に引っ掛けて、該コンビネーションレンチ（１０２）を使用者の使い易い位置に移動させる。
【実施例３】
【００１４】
図５及び図６に示すように、本発明に係る手工具用ホルダーの第３実施例は、摺動溝（８１）を有するレール（８０）と、該レール（８０）の摺動溝（８１）に摺動自在に取り付けられるボックスレンチアダプタ用掛止部材（３０）とを備え、
前記レール（８０）は、前記第１実施例のレール（８０）と同様の構造を呈し、、該ボックスレンチアダプタ用掛止部材（３０）は、係合部（３１）と設置部（３３）からなり、該係合部（３１）及び該係合部（３１）に形成される摺動部（３２）は、前記第１実施例のドライバー用掛止部材（１０）の係合部（１１）及び摺動部（１２）と同様の構造を呈し、また、本実施例では、設置部（３３）が前記係合部（３１）からレール（８０）の長手方向と垂直する方向に延出し、該設置部（３３）の上面に、上方へ延出する係合柱（３４）が設けられ、該設置部（３３）の端部には、下方へ延出するサイズが記された標示プレート（３５）が設けられる。
【００１５】
本実施例に係るボックスレンチアダプタ用掛止部材（３０）にボックスレンチアダプタ（１０３）を収納する時は、前記レール（８０）の固定穴（８３）からねじ（１１０）を嵌め込み螺合することにより、該レール（８０）を壁などに固定し、その後、１つ以上のボックスレンチアダプタ用掛止部材（３０）を該レール（８０）に摺動自在に取り付け、、サイズの異なるボックスレンチアダプタ（１０３）をサイズの合うボックスレンチアダプタ用掛止部材（３０）の係合柱（３４）に係合し、ボックスレンチアダプタ（１０３）を使用者の使い易い位置に移動させる。
【実施例４】
【００１６】
図７及び図８に示すように、本発明に係る手工具用ホルダーの第４実施例は、摺動溝（８１）を有するレール（８０）と、該レール（８０）の摺動溝（８１）に摺動自在に取り付けられる多目的の掛止部材（４０）とを備え、
前記レール（８０）は、前記第１実施例のレール（８０）と同様の構造を呈し、前記多目的の掛止部材（４０）は、係合部（４１）と設置部（４３）とからなり、該係合部（４１）及び該係合部（４１）に形成される摺動部（４２）は、前記第１実施例のドライバー用掛止部材（１０）の係合部（１１）及び摺動部（１２）と同様の構造を呈し、本実施例の設置部（４３）は、該係合部（４１）からレール（８０）の長手方向に垂直する方向へ延出すると共に、該設置部（４３）に、及び該設置部（４３）に対して、隣り合うの他の掛止部材（４０）における設置部（４３）の内側に夫々互いに対応する凹み部（４４）が形成される。
【００１７】
更に、上述したように、本実施例のレール（８０）及び係合部（４１）は、前記第１実施例のレール（８０）及び係合部（１１）と同様の構造を呈し、該レール（８０）の摺動溝（８１）と本実施例の係合部（４１）の摺動部（４２）とは接触することから、適当な摩擦力が生じるので、該多目的の掛止部材（４０）が自発的に移動することはなく、前記多種の手工具（１０４）を確実に掛止することができる。
本実施例に係る多目的の掛止部材（４０）に多種の異なる手工具（１０４）を収納する時は、前記レール（８０）の固定穴（８３）からねじ（１１０）を嵌め込み螺合することにより、該レール（８０）を壁などに固定し、その後、複数の多目的の掛止部材（４０）をレール（８０）に取り付け、隣り合って対応する掛止部材（４０）に形成される凹み部（４４）の間の空間に多種類の異なる手工具（１０４）を摺動自在に掛止して該掛止された手工具（１０４）をレール（８０）に沿って摺動させ、使用者の使い易い位置まで移動させる。
【実施例５】
【００１８】
図９及び図１０に示すように、本発明に係る手工具用ホルダーの第５実施例は、摺動溝（８１）を有するレール（８０）と、該レール（８０）の摺動溝（８１）に摺動自在に取り付けられる狭装式掛止部材（５０）とを備え、
前記レール（８０）は、前記第１実施例のレール（８０）と同様の構造を呈し、該狭装式掛止部材（５０）は、係合部（５１）と設置部（５３）とからなり、該係合部（５１）及び該係合部（５１）に形成される摺動部（５２）は、前記第１実施例のドライバー用掛止部材（１０）の係合部（１１）及び摺動部（１２）と同様の構造を呈し、本実施例の設置部（５３）は、該係合部（５１）からレール（８０）の長手方向に垂直する方向へ延出すると共に、掛止穴（５４）を有し、該掛止穴（５４）の一端における、該設置部（５３）の間に所定の幅を有する開口（５５）が形成され、該開口（５５）の内側の一端に円弧面（５５１）が形成される。
【００１９】
前記狭装式掛止部材（５０）に手工具収納する時は、該レール（８０）の固定穴（符号なし）からねじを嵌め込み螺合することにより、該レール（８０）を壁などに固定し、その後、該狭装式掛止部材（５０）をレール（８０）に取り付け、続いてドライバー（１００）の軸（１０１）を開口（５５）から掛止穴（５４）に嵌め込み、該ドライバー（１００）のグリップを該掛止穴（５４）に掛止させる。そして、前記掛止されたドライバー（１００）を、前記レール（８０）の長手方向に沿って摺動し、使用者の使い易い位置に移動させる。また、この実施例では、上方からドライバー（１００）を前記掛止穴（５４）に挿入してもよく、また、上述のように、横方向から該掛止穴（５４）に嵌め込んでもよい。
【実施例６】
【００２０】
図１１及び図１２に示すように、本発明に係る手工具用ホルダーの第６実施例は、上端と下端に夫々摺動溝（９２）が設けられるレール（９０）と、該レール（９０）の摺動溝（９２）に摺動自在に取り付けられる狭装式掛止部材（６０）とを備え、該レール（９０）の両端の近傍に、該レール（９０）を壁などに固定するための固定穴（９３）が形成され、該狭装式掛止部材（６０）は、係合部（６１）と設置部（６３）からなり、該係合部（６１）は、断面がＣ字形を呈すると共に、該係合部（６１）の上端と下端には夫々レール（９０）の摺動溝（９２）に摺動自在に係止される摺動部（６２）を有する。また、本実施例の設置部（６３）は、前記係合部（６１）からレール（９０）の長手方向に垂直する方向へ延出し、これは前記第５実施例における設置部（５３）と同様の構造である。
【００２１】
また、前記第５実施例と本実施例は、ドライバー（１００）を縦横方向共に固定することができるので、図１２に示すように、上下平行に併設される２列の手工具用ホルダーに掛止されたドライバー（１００）において、上方からドライバー（１００）を下列の手工具用ホルダーの掛止穴（５４）に挿入すれば、上列のホルダーに掛止されたドライバー（１００）に衝突するので、上述のように、横方向から該掛止穴（５４）にドライバー（１００）を下列の手工具用ホルダー嵌め込むことができる。
【実施例７】
【００２２】
図１３及び図１４に示すように、本発明における第７実施例の構造は、前記第６実施例と殆ど等しく、単に本実施例のレール（９０B）が長手方向に沿って配列されると共に、ねじ穴（９４１B）を備える複数の取付部（９４B）を有し、該レール（９０B）は、前記レール（９０B）より幅の広い固定板（１１３B）と、該固定板（１１３B）から延出する２つの取付部材（１１５B）とを備える固定穴材（１１２B）を介して壁などに固定される点において異なるのみである。
【００２３】
前記２つの取付部材（１１５B）は、前記固定板（１１３B）の側面に平行に設けられ、該固定板（１１３B）における該取付部（９４B）における、ねじ穴（９４１B）と対応する箇所に固定穴（１１４B）が設けられる。
上記の構成を有することから、本実施例では、ねじ（１１０B）を前記固定板（１１３B）の固定穴（１１４B）を介して前記取付部（９４B）のねじ穴（９４１B）に螺合することにより、確実に該レール（９０B）を、壁などに固定される固定穴材（１１２B）に取り付けられるだけでなく、前記ねじ（１１０B）がレール（９０B）の内部に嵌め込まれ、レール（９０B）から露出しないので、レール（９０B）の表面を平坦状に保つことができる。
【実施例８】
【００２４】
図１５及び図１６に示すように、本発明に係る手工具用ホルダーの第８実施例は、前記第６実施例と同様のレール（９０）と、該レール（９０）の摺動溝（９２）に摺動自在に取り付けられるボックスレンチアダプタ用掛止部材（７０）とを備え、
前記ボックスレンチアダプタ用掛止部材（７０）は、係合部（７１）と、該係合部（７１）からレール（９０）の長手方向に垂直する方向へ延出する設置部（７３）からなり、該係合部（７１）は、前記第６実施例の係合部（６１）と同様の構造を有すると共に、該設置部（７３）は、前記第３実施例の設置部（３３）と同様の構造を有する。
【００２５】
また、本実施例の手工具用ホルダーにボックスレンチアダプタを収納する時は、該レール（９０）の固定穴（９３）からねじ（１１０）を嵌め込み螺合することにより、該レール（９０）を壁などに固定し、その後、該ナット掛止部材（７０）における該係合部（７１）の上端と、下端に設けられる摺動部（７２）をレール（９０）の摺動溝（９２）に摺動自在に取り付ける。これにより、前記設置部（７３）の掛止柱（７４）に掛止されるボックスレンチアダプタ（１０３）を自由に移動させることができるので、収納しやすくなると共に、該設置部（７３）にサイズが付けられた標示プレート（７５）が設けられるので、使用したいボックスレンチアダプタ（１０３）を即座に手にすることができる。
【００２６】
本発明は上記の構造を有し、壁に固定されるレールに複数の掛止部材が摺動自在に取り付けられることから、複数の異なる形状の手工具を収納することができるので、非常に使いやすく、実用性に優れている。
【符号の説明】
【００２７】
（１０）ドライバー用掛止部材
（１００）ドライバー
（１０１）軸        （１０２）コンビネーションレンチ
（１０３）ボックスレンチアダプタ
（１０４）手工具
（１１）係合部      （１１０B）ねじ
（１１０）ねじ      （１１１）設置板
（１１２B）固定穴材
（１１３B）固定板    （１１４B）固定穴
（１１５B）取付部材    （１２）摺動部
（１３）設置部      （１４）掛止穴
（２０）コンビネーション用掛止部材
（２１）係合部      （２２）摺動部
（２３）設置部      （２４）掛止フック
（３０）ボックスレンチアダプタ用掛止部材
（３１）係合部      （３２）摺動部
（３３）設置部      （３４）係合柱
（３５）標示プレート
（４０）多目的の掛止部材
（４１）係合部      （４２）摺動部
（４３）設置部      （４４）凹み部
（５０）狭装式掛止部材
（５１）係合部      （５２）摺動部
（５３）設置部      （５４）掛止穴
（５５）開口        （５５１）円弧面
（６０）狭装式掛止部材
（６１）係合部      （６２）摺動部
（６３）設置部
（７０）ボックスレンチアダプタ用掛止部材
（７１）係合部      （７２）摺動部
（７３）設置部      （７４）係合柱
（７５）標示プレート
（８０）レール
（８１）摺動溝      （８３）固定穴
（９０B）レール    （９０）レール
（９２）摺動溝      （９３）固定穴
（９４B）取付部    （９４１B）ねじ穴
【図１】
2011104771.tif 000003
【図２】
2011104771.tif 000004
【図３】
2011104771.tif 000005
【図４】
2011104771.tif 000006
【図５】
2011104771.tif 000007
【図６】
2011104771.tif 000008
【図７】
2011104771.tif 000009
【図８】
2011104771.tif 000010
【図９】
2011104771.tif 000011
【図１０】
2011104771.tif 000012
【図１１】
2011104771.tif 000013
【図１２】
2011104771.tif 000014
【図１３】
2011104771.tif 000015
【図１４】
2011104771.tif 000016
【図１５】
2011104771.tif 000017
【図１６】
2011104771.tif 000018
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
上端と下端に夫々摺動溝が形成されるレールと、
該レールの摺動溝に摺動自在に取り付けられる掛止部材とを備え、
該レールに該レールを固定するための固定穴が形成され、
該掛止部材は、断面がＣ字形を呈すると共に、レールの摺動溝に摺動自在に係合される係合部と、該係合部からレールの長手方向に垂直する方向へ延出する設置部とを有し、
該設置部の上面に上方へ延出する係合柱が設けられることを特徴とする手工具用ホルダー。